(57)【要約】【課題】車両の後部座席の乗員が鑑賞するための画像を表示する車室内の天井に配設される場合において、運転者の後方視界を確保できるようにすること。【解決手段】車両２００の後部座席２０３の乗員３００Ａ，３００Ｂが鑑賞するための画像を表示するワイドパネル１００を車室内の天井に配設する。ワイドパネル１００は、フルサイズ画像の上半分の画像を表示可能なサイズの表示画面１０１ａを有する第１の表示パネル１００Ａと、フルサイズ画像の下半分の画像を表示可能なサイズの表示画面１０１ｂを有する第２の表示パネル１００Ｂとを備える。また、第２の表示パネル１００Ｂは、第１の表示パネル１００Ａの下方部位に位置してフルサイズ画像の下半分の画像を表示する表示ポジションＰ１と、車両２００の運転者３００Ｃの後方視界から退避する退避ポジションＰ２とに変位自在に構成される。【選択図】図５
2007253765.tif 000002
【特許請求の範囲】
【請求項１】
車両の後部座席の乗員が鑑賞するための画像を表示する車室内の天井に配設された表示装置であって、
前記車室内の天井部位に配置される第１の表示パネルと、
前記第１の表示パネルの下方部位に位置する表示ポジションと、前記車両の運転者の後方視界から退避する退避ポジションとに変位自在な第２の表示パネルと、を具備する、表示装置。
【請求項２】
前記第２の表示パネルは、前記退避ポジションに位置した状態で、その表示画面が前記車両のルームミラーに対面して前記運転者の後方視界内に位置するように、前記第１の表示パネルに対して曲折自在に取り付けられている、請求項１記載の表示装置。
【請求項３】
前記第２の表示パネルは、前記退避ポジションに位置した状態で、その表示画面に前記車両に配設したカメラの映像が表示される、請求項２記載の表示装置。
【請求項４】
前記カメラは、前記車両の後方を撮像する後部カメラと、前記車両の右側方を撮像する右側部カメラと、前記車両の左側方を撮像する左側部カメラと、からなり、
前記第２の表示パネの表示画面の中央に前記後部カメラで撮像した映像を表示し、前記表示画面の右方に前記右側部カメラで撮像した映像を表示し、前記表示画面の左方に前記左側部カメラで撮像した映像を表示する、請求項３記載の表示装置。
【請求項５】
前記第１の表示パネルは、その表示画面を前記後部座席の乗員に対面させる表示ポジションと、前記車室内の天井に沿った収納ポジションとに変位自在に支持され、
前記第１の表示パネルが前記収納ポジションに変位した状態で、前記第２の表示パネルの表示ポジションが前記第１の表示パネルの表示ポジションに位置する、請求項１記載の表示装置。
【請求項６】
前記第２の表示パネルは、前記第１の表示パネルに重なり合うように変位して、その表示ポジションが前記第１の表示パネルの表示ポジションに位置する、請求項１記載の表示装置。
【発明の詳細な説明】
【技術分野】
【０００１】
本発明は、車両の後部座席の乗員がテレビ、ＶＴＲ（Ｖｉｄｅｏ  Ｔａｐｅ  Ｒｅｃｏｒｄｅｒ）、ＤＶＤ（Ｄｉｇｉｔａｌ  Ｖｉｄｅｏ  Ｄｉｓｃ）、カーナビゲーション等の画像（映像）を鑑賞するディスプレイとして最適な表示装置に関する。
【背景技術】
【０００２】
従来、この種の表示装置として、車室内の天井に配設したものが知られている（例えば、特許文献１参照）。
【０００３】
このように、表示装置を車室内の天井に配設する場合には、運転者のルームミラーや後方直視による後方視界を確保する必要があるため、表示パネルの表示画面サイズや取り付け位置等に多くの制約が生じる。
【０００４】
しかしながら、この種の表示装置としては、表示パネルの表示画面サイズはできるだけ大きく、また取り付け位置もできるだけ自由度の高いものであることが望ましい。
【０００５】
そこで、特許文献１記載の「車載表示装置」は、車両状態検出手段により現在の車両状態を検出し、着座状態検出手段により乗員の着座状態を検出している。また、後方視界検出手段により運転者の後方視界を検出している。
【０００６】
そして、この「車載表示装置」では、検出された車両状態、着座状態、後方視界に基づいて、表示パネル（ディスプレイ）の位置及び方向が最適な表示状態になり、かつ運転者の後方視界を遮らないように、ディスプレイの位置及び方向を駆動手段で変更するようにしている。
【特許文献１】特開２００４−８２８３５号公報
【発明の開示】
【発明が解決しようとする課題】
【０００７】
特許文献１記載の「車載表示装置」では、ディスプレイのサイズが比較的小さい場合には、運転者の後方視界を遮らないようにディスプレイの位置及び方向を駆動手段で変更することは可能である。
【０００８】
しかしながら、この「車載表示装置」では、ディスプレイとして表示画面サイズが大きな表示パネルを使用した場合には、運転者の後方視界を遮らないようにディスプレイの位置及び方向を駆動手段で変更することは実質的に困難である。
【０００９】
本発明は、かかる点に鑑みてなされたもので、車両の後部座席の乗員が鑑賞するための画像を表示する車室内の天井に配設される場合において、運転者の後方視界を確保できる表示装置を提供することを目的とする。
【課題を解決するための手段】
【００１０】
かかる課題を解決するため、本発明の表示装置は、車両の後部座席の乗員が鑑賞するための画像を表示する車室内の天井に配設された表示装置であって、前記車室内の天井部位に配置される第１の表示パネルと、前記第１の表示パネルの下方部位に位置する表示ポジションと、前記車両の運転者の後方視界から退避する退避ポジションとに変位自在な第２の表示パネルと、を具備する構成を採る。
【発明の効果】
【００１１】
本発明によれば、車両の後部座席の乗員が鑑賞するための画像を表示する車室内の天井に配設される場合において、運転者の後方視界を確保できる。
【発明を実施するための最良の形態】
【００１２】
以下、本発明の実施の形態について、図面を参照して詳細に説明する。なお、各図において同一の構成または機能を有する構成要素及び相当部分には、同一の符号を付してその説明は繰り返さない。
【００１３】
（実施の形態１）
図１は、本発明の実施の形態１に係る表示装置を搭載するのに適した車両の概略構成を示す概略断面図である。図２は、図１に示した車両の概略構成を示す概略平面図である。
【００１４】
図１および図２に示すように、本例の表示装置としてのワイドパネル１００は、車両２００の運転席２０１及び助手席２０２と後部座席２０３との間の天井部分に取り付けられている。
【００１５】
また、本例のワイドパネル１００は、不使用時は図１に鎖線で示すように、車室内の天井部分と平行になるように収納され、使用時は図１に実線でしめすように、後部座席２０３に着座した乗員３００Ａ，３００Ｂの前方の中間位置に降下してくるように構成されている。
【００１６】
また、図２に示すように、車両２００の後部座席２０３の両サイド部には、第１スピーカ５００Ａと、第２スピーカ５００Ｂとが配設されている。
【００１７】
第１スピーカ５００Ａは、後部座席２０３に着座した乗員３００Ａが鑑賞しているワイドパネル１００の表示画面１０１に表示された画像の音声を出力することができる。
【００１８】
第２スピーカ５００Ｂは、後部座席２０３に着座した乗員３００Ｂが鑑賞しているワイドパネル１００の表示画面１０１に表示された画像の音声を出力することができる。
【００１９】
また、これらの第１スピーカ５００Ａおよび第２スピーカ５００Ｂは、ワイドパネル１００の表示画面１０１に表示される画像の音声をステレオ出力したり、一方から主音声他方から副音声を出力したりすることもできる。
【００２０】
次に、本発明の実施の形態１に係る表示装置としてのワイドパネル１００の構成について説明する。図３は、本発明の実施の形態１に係る表示装置の構成を示す概略側面図である。
【００２１】
図３に示すように、本例のワイドパネル１００は、第１の表示パネル１００Ａと、第２の表示パネル１００Ｂとで構成されている。
【００２２】
図３において、第１の表示パネル１００Ａは、車両２００の車室内の天井部位に配置されている。本例のワイドパネル１００における第１の表示パネル１００Ａは、車両２００の天井に固定されたＬ字状のアングル部材３０１に、乗員３００Ａ，３００Ｂの鑑賞しやすい角度となるように取り付けられている。
【００２３】
また、第１の表示パネル１００Ａは、本例のワイドパネル１００の表示画面１０１に表示可能な最大サイズ画像（フルサイズ画像）の上半分の画像を表示できるサイズの表示画面１０１ａを有している。
【００２４】
一方、第２の表示パネル１００Ｂは、フルサイズ画像の下半分の画像を表示できるサイズの表示画面１０１ｂを有している。
【００２５】
また、第２の表示パネル１００Ｂは、その背面上部が、ヒンジ１０２により、第１の表示パネル１００Ａの背面下部に対して回動自在に取り付けられている。
【００２６】
これにより、第２の表示パネル１００Ｂは、図１、図２および図３に示すように、第１の表示パネル１００Ａの下方部位に位置してフルサイズ画像の下半分の画像を表示する表示ポジションＰ１と、図４、図５および図６に示すように、車両２００の運転者３００Ｃの後方視界から退避する退避ポジションＰ２とに変位自在となる。ここで、表示ポジションＰ１をより具体的に説明する。表示ポジションＰ１においては、第２の表示パネル１００Ｂの上端面が、第１の表示パネル１００Ａの下端面に接して、第１の表示パネル１００Ａおよび第２の表示パネル１００Ｂの表示画面が、第２の表示パネル１００Ｂの回動軸に対して垂直方向に整列する。なお、後述の実施の形態２における表示ポジションＰ３および後述の実施の形態３における表示ポジションも、表示ポジションＰ１と同様である。
【００２７】
表示ポジションＰ１における第２の表示パネル１００Ｂは、図３および図４に示す係止ピン１０３により第１の表示パネル１００Ａに対して係止されるようになっている。
【００２８】
この係止ピン１０３は、第１の表示パネル１００Ａに進退自在に設けられており、第２の表示パネル１００Ｂが表示ポジションＰ１に位置した状態で、第２の表示パネル１００Ｂ側に迫り出すように構成されている。なお、係止ピン１０３は、第２の表示パネル１００Ｂに進退自在に設けられていてもよい。
【００２９】
一方、退避ポジションＰ２における第２の表示パネル１００Ｂは、その背面に取り付けられた磁性板１０４が、車両２００の天井に固定されたマグネットキャッチ２０１に吸着されることにより、その表示画面１０１ｂが所定の角度を維持するように係止される。
【００３０】
このように、本例のワイドパネル１００は、第１の表示パネル１００Ａの表示画面１０１ａにフルサイズ画像の上半分の画像を表示し、第２の表示パネル１００Ｂの表示画面１０１ｂにフルサイズ画像の下半分の画像を表示することで、その表示画面１０１にフルサイズ画像を表示することができる。
【００３１】
また、本例のワイドパネル１００は、第２の表示パネル１００Ｂを退避ポジションＰ２に変位させることで、運転者３００Ｃの後方視界を確保できる。
【００３２】
さらに、本例のワイドパネル１００の第１の表示パネル１００Ａは、運転者３００Ｃの後方視界の邪魔になることがないので、表示画面１０１ａに常時ハーフサイズ画像を表示することができる。
【００３３】
ところで、運転者３００Ｃの後方視界には、運転者３００Ｃが前向きに状態で車両２００のルームミラー４００を通して見る第１の後方視界と、運転者３００Ｃが後ろ向きになって直視する第２の後方視界との２通りがある。
【００３４】
そこで、本例のワイドパネル１００における第２の表示パネル１００Ｂは、図５に示すように、退避ポジションＰ２に位置した状態で、その表示画面１０１ｂが車両２００のルームミラー４００に対面して運転者３００Ｃの第１の後方視界内に位置するようになっている。
【００３５】
これにより、本例のワイドパネル１００においては、例えば、第２の表示パネル１００Ｂの表示画面１０１ｂに、第１の表示パネル１００Ａの表示画面１０１ａに表示している画像を表示して、運転者３００Ｃが乗員３００Ａ，３００Ｂと同じ画像を鑑賞して情報の共有やコミュニケーションを図ることができる。
【００３６】
また、これにより、運転者３００Ｃは、乗員３００Ａ，３００Ｂが未成年の場合、ワイドパネル１００に不適切な画像を表示しないようにすることも可能となる。
【００３７】
また、本例のワイドパネル１００においては、図６および図７に示すように、第２の表示パネル１００Ｂの表示画面１０１ｂに、車両２００に配設した左側部カメラ６００Ａ、右側部カメラ６００Ｂ、後部カメラ６００Ｃの映像を表示して車両２００の周囲の状況を確認することも可能である。
【００３８】
すなわち、本例のワイドパネル１００においては、図７に示すように、第２の表示パネル１００Ｂの表示画面１０１ｂの左方に車両２００の左側方を撮像する左側部カメラ６００Ａの映像６０１Ａを表示し、表示画面１０１ｂの右方に車両２００の右側方を撮像する右側部カメラ６００Ｂの映像６０１Ｂを表示し、表示画面１０１ｂの中央に車両２００の後方を撮像する後部カメラ６００Ｃの映像６０１Ｃを表示して、車両２００の周辺の安全確認を行うことも可能である。
【００３９】
（実施の形態２）
次に、本発明の実施の形態２に係る表示装置について説明する。図８は、本発明の実施の形態２に係る表示装置の収納状態の構成を示す概略側面図である。図９は、本発明の実施の形態２に係る表示装置のハーフサイズ画像の表示状態の構成を示す概略側面図である。図１０は、本発明の実施の形態２に係る表示装置のフルサイズ画像の表示状態の構成を示す概略側面図である。図１１は、本発明の実施の形態２に係る表示装置のフルサイズ画像の表示状態の構成を示す概略正面図である。
【００４０】
図８、図９、図１０および図１１に示すように、本例の表示装置としてのワイドパネル１００は、実施の形態１に係る表示装置としてのワイドパネル１００と同様、第１の表示パネル１００Ａと、第２の表示パネル１００Ｂとで構成されている。
【００４１】
本例のワイドパネル１００は、車両２００の天井に固定された一対のＬ字状のガイドレール７００Ａ，７００Ｂにより、変位自在に支持されている（図１１参照）。
【００４２】
ここで、本例のワイドパネル１００の第１の表示パネル１００Ａおよび第２の表示パネル１００Ｂは、その表示画面１０１ａを後部座席２０３の乗員３００Ａ，３００Ｂに対面させる表示ポジションＰ３と、車室内の天井に沿った収納ポジションＰ４とに変位自在となるように、その両側部に設けられたガイドピン１０５ａ，１０５ｂが、ガイドレール７００Ａ，７００Ｂのガイド溝７０１ａ，７０１ｂにそれぞれ摺動自在に嵌合している。
【００４３】
そして、本例のワイドパネル１００は、図８に示すように、その不使用時には、第１の表示パネル１００Ａおよび第２の表示パネル１００Ｂが、それぞれ収納ポジションＰ４に変位して、車室内の天井に沿って収納されるようになっている。
【００４４】
また、本例のワイドパネル１００は、図９に示すように、第１の表示パネル１００Ａが収納ポジションＰ４に変位した状態で、第２の表示パネル１００Ｂが第１の表示パネル１００Ａの表示ポジションＰ３に位置するようになっている。
【００４５】
これにより、本例のワイドパネル１００は、実施の形態１に係る表示装置としてのワイドパネル１００と同様、運転者３００Ｃの後方視界を確保しながら、第２の表示パネル１００Ｂの表示画面１０１ｂにハーフサイズ画像を表示することができる。
【００４６】
また、本例のワイドパネル１００は、図１０および図１１に示すように、第１の表示パネル１００Ａおよび第２の表示パネル１００Ｂをそれぞれ表示ポジションＰ３に変位させ、第１の表示パネル１００Ａの表示画面１０１ａにフルサイズ画像の上半分の画像を表示し、第２の表示パネル１００Ｂの表示画面１０１ｂにフルサイズ画像の下半分の画像を表示することで、その表示画面１０１にフルサイズ画像を表示することができる。
【００４７】
なお、本例のワイドパネル１００においては、表示ポジションＰ３に変位させた第２の表示パネル１００Ｂの耐震性を向上させるために、図１１に鎖線で示すように、ガイドレール７００Ａ，７００Ｂに対して伸縮自在に配設した伸縮レール７０２ａ，７０２ｂを設けるようにしてもよい。
【００４８】
（実施の形態３）
次に、本発明の実施の形態３に係る表示装置について説明する。図１２は、本発明の実施の形態３に係る表示装置のフルサイズ画像の表示状態を示す概略構成図である。図１３は、本発明の実施の形態３に係る表示装置のハーフサイズ画像の表示状態を示す概略構成図である。
【００４９】
図１２および図１３に示すように、本例の表示装置としてワイドパネル１００は、実施の形態１に係る表示装置としてのワイドパネル１００と同様、第１の表示パネル１００Ａと、第２の表示パネル１００Ｂとで構成されている。
【００５０】
本例のワイドパネル１００における第１の表示パネル１００Ａは、実施の形態１に係る表示装置としてのワイドパネル１００における第１の表示パネル１００Ａと同様、車両２００の天井に固定されたＬ字状のアングル部材３０１に、乗員３００Ａ，３００Ｂの鑑賞しやすい角度となるように取り付けられている。
【００５１】
また、第１の表示パネル１００Ａは、本例のワイドパネル１００の表示画面１０１に表示可能なフルサイズ画像の上半分の画像を表示できるサイズの表示画面１０１ａを有している。
【００５２】
一方、第２の表示パネル１００Ｂは、フルサイズ画像の下半分の画像を表示できるサイズの表示画面１０１ｂを有している。
【００５３】
また、第２の表示パネル１００Ｂは、図示しないスライド機構により第１の表示パネル１００Ａに対してスライド自在に支持されており、図１３に示すフルサイズ画像の表示ポジションから、第１の表示パネル１００Ａの表示画面１０１ａの上方にスライドして、図１２に示す運転者３００Ｃの後方視界から退避する退避ポジションに位置するように構成されている。
【００５４】
これにより、第２の表示パネル１００Ｂは、第１の表示パネル１００Ａの下方部位に位置してフルサイズ画像の下半分の画像を表示する表示ポジションと、運転者３００Ｃの後方視界から退避する退避ポジションとに変位自在となる。
【００５５】
表示ポジションにおける第２の表示パネル１００Ｂは、図示しない係止手段により第１の表示パネル１００Ａに対して係止されるようになっている。
【００５６】
このように、本例のワイドパネル１００は、第１の表示パネル１００Ａの表示画面１０１ａにフルサイズ画像の上半分の画像を表示し、第２の表示パネル１００Ｂの表示画面１０１ｂにフルサイズ画像の下半分の画像を表示することで、その表示画面１０１にフルサイズ画像を表示することができる。
【００５７】
また、第１の表示パネル１００Ａに重なり合うように第２の表示パネル１００Ｂが変位して、第２の表示パネル１００Ｂの表示画面１０１ｂが第１の表示パネル１００Ａの表示ポジションに位置するので、運転者３００Ｃの後方視界を確保できる。
【産業上の利用可能性】
【００５８】
本発明に係る表示装置は、車両の後部座席の乗員が鑑賞するための画像を表示する車室内の天井に配設される場合において、運転者の後方視界を確保できるので、車両の後部座席の乗員がテレビ、ＶＴＲ、ＤＶＤ、カーナビゲーション等の画像（映像）を鑑賞するディスプレイとして有用である。
【図面の簡単な説明】
【００５９】
【図１】本発明の実施の形態１に係る表示装置を搭載するのに適した車両の概略構成を示す概略断面図
【図２】図１に示した車両の概略構成を示す概略平面図
【図３】本発明の実施の形態１に係る表示装置の構成を示す概略側面図
【図４】本発明の実施の形態１に係る表示装置の後方視界確保時における構成を示す概略側面図
【図５】本発明の実施の形態１に係る表示装置の後方視界確保時における車両の概略構成を示す概略断面図
【図６】図５に示した車両の概略構成を示す概略平面図
【図７】本発明の実施の形態１に係る表示装置の第２の表示パネルの表示画像の一例を示す概略図
【図８】本発明の実施の形態２に係る表示装置の収納状態の構成を示す概略側面図
【図９】本発明の実施の形態２に係る表示装置のハーフサイズ画像の表示状態の構成を示す概略側面図
【図１０】本発明の実施の形態２に係る表示装置のフルサイズ画像の表示状態の構成を示す概略側面図
【図１１】本発明の実施の形態２に係る表示装置のフルサイズ画像の表示状態の構成を示す概略正面図
【図１２】本発明の実施の形態３に係る表示装置のフルサイズ画像の表示状態の構成を示す概略側面図
【図１３】本発明の実施の形態３に係る表示装置のハーフサイズ画像の表示状態の構成を示す概略側面図
【符号の説明】
【００６０】
１００  ワイドパネル
１０１  表示画面
１０１Ａ  第１の表示パネル
１０１ａ  第１の表示パネルの表示画面
１０１Ｂ  第２の表示パネル
１０１ｂ  第２の表示パネルの表示画面
１０２  ヒンジ
１０３  係止ピン
１０４  磁性板
２００  車両
２０１  マグネットキャッチ
３０１  アングル部材
【図１】
2007253765.tif 000003
【図２】
2007253765.tif 000004
【図３】
2007253765.tif 000005
【図４】
2007253765.tif 000006
【図５】
2007253765.tif 000007
【図６】
2007253765.tif 000008
【図７】
2007253765.tif 000009
【図８】
2007253765.tif 000010
【図９】
2007253765.tif 000011
【図１０】
2007253765.tif 000012
【図１１】
2007253765.tif 000013
【図１２】
2007253765.tif 000014
【図１３】
2007253765.tif 000015